(57)【要約】【課題】顧客に対してより積極的にアピールできるＰＯＰ広告が行えるようにする。【解決手段】店内に設けられた走行路１と、走行路１の両側に立設された案内壁２ａ、２ｂと、ガイドに案内されて経路上を自律的に移動する１つまたは複数の移動体を備える。移動体は、広告の表示を行う表示部１５と、移動体の前後部に配置された距離センサを備える。移動体は、進行方向前方の障害物または他の移動体に所定の距離まで近づいたとき、進行方向を反転させる。【選択図】図１
2017151386.tif 000002
【特許請求の範囲】
【請求項１】
店内に設けられた経路と、
前記経路に沿って配置されたガイドと、
前記ガイドに案内されて前記経路上を自律的に移動する１つまたは複数の移動体と、を備え、
前記移動体が、
広告を表示する表示部と、
前記移動体の前後部に配置された距離センサと、を有し、
前記移動体は、進行方向前方の障害物または他の移動体に所定の距離まで近づいたとき、当該進行方向を反転させるものであることを特徴とする店内広告システム。
【請求項２】
前記経路が走行路からなり、前記ガイドが前記走行路の両側に立設された案内壁からなり、前記移動体が、さらに、
前記走行路上を走行するための車輪と、
モータと、
前記モータを駆動する電源部と、
前記モータおよび前記車輪間に配置された動力伝達機構と、を有していることを特徴とする請求項１に記載の店内広告システム。
【請求項３】
前記走行路上に前記走行路の長さ方向に沿って設置された給電線と、
前記走行路の外側に設置されるとともに、前記給電線に電力を供給する外部電源装置と、をさらに備え、
前記移動体の前記電源部が、前記給電線から電気を取り込む集電ユニットからなっていることを特徴とする請求項２に記載の店内広告システム。
【請求項４】
前記走行路上の予め定められた少なくとも１つの給電位置において、前記案内壁または前記走行路の路面に設けられ、または前記走行路の近傍に配置された非接触給電のための給電ユニットと、
前記走行路の外側に配置されるとともに、前記給電ユニットに電力を供給する外部電源装置と、
前記給電位置において、前記走行路の路面または前記案内壁の内側面に配置されたマークと、をさらに備え、
前記移動体の前記電源部が、
充電池と、
前記充電池に接続された、前記給電ユニットと対をなす受電ユニットと、からなり、
前記移動体が前記マークを検出するマーク検出用センサをさらに有していることを特徴とする請求項２に記載の店内広告システム。
【発明の詳細な説明】
【技術分野】
【０００１】
本発明は、スーパーマーケット、ディスカウントセンター、ホームセンター、ドラッグストア、書店およびパチンコ店等の各種店舗の店内において広告を行うためのシステムに関するものである。
【背景技術】
【０００２】
店内広告手段の１つとして、ＰＯＰ（Point Of Purchase）広告が知られている。
ＰＯＰ広告は、紙およびディスプレイ装置等の広告媒体上に商品名、商品価格、商品の説明、キャッチコピーおよびイラスト等を表示したものであり、店内の商品陳列棚や壁面等の顧客の目につく場所に配置され、店舗側が推奨したい商品について店員に代わって顧客に情報提供を行って、購買意欲を喚起し、あるいは店内の雰囲気作りをするために使用される。（例えば、特許文献１、２参照）。
【０００３】
ＰＯＰ広告は、それによって店舗の売り上げが左右されると言われるほど、大きな効果を発揮し、大抵の店舗において使用されている。
しかしながら、従来のＰＯＰ広告は定位置に固定されているので、顧客がＰＯＰ広告に目を留める位置まで近づいてこなければ、広告効果が発揮されない。つまり、従来のＰＯＰ広告は、受動的かつ静的であると言える。
そのため、顧客へのアピールが不十分な場合もあった。
【先行技術文献】
【特許文献】
【０００４】
【特許文献１】特開２００２−１１６８５８号公報
【特許文献２】特開２００５−２５０３１６号公報
【発明の概要】
【発明が解決しようとする課題】
【０００５】
したがって、本発明の課題は、顧客に対してより積極的にアピールできるＰＯＰ広告が行えるようにすることにある。
【課題を解決するための手段】
【０００６】
上記課題を解決するため、本発明によれば、店内に設けられた経路と、前記経路に沿って配置されたガイドと、前記ガイドに案内されて前記経路上を自律的に移動する１つまたは複数の移動体と、を備え、前記移動体が、広告を表示する表示部と、前記移動体の前後部に配置された距離センサと、を有し、前記移動体は、進行方向前方の障害物または他の移動体に所定の距離まで近づいたとき、当該進行方向を反転させるものであることを特徴とする店内広告システムが提供される。
【０００７】
本発明の好ましい実施例によれば、前記移動体の前記表示部がディスプレイ装置またはＰＯＰボードまたはその両方からなっている。
【０００８】
本発明の別の好ましい実施例によれば、前記経路が走行路からなり、前記ガイドが前記走行路の両側に立設された案内壁からなり、前記移動体が、さらに、前記走行路上を走行するための車輪と、モータと、前記モータを駆動する電源部と、前記モータおよび前記車輪間に配置された動力伝達機構と、を有している。
【０００９】
本発明のさらに別の好ましい実施例によれば、前記店内広告システムは、さらに、前記走行路上に前記走行路の長さ方向に沿って設置された給電線と、前記走行路の外側に設置されるとともに、前記給電線に電力を供給する外部電源装置と、を備えており、前記移動体の前記電源部が、前記給電線から電気を取り込む集電ユニットからなっている。
【００１０】
本発明のさらに別の好ましい実施例によれば、前記店内広告システムは、さらに、前記走行路上の予め定められた少なくとも１つの給電位置において、前記案内壁または前記走行路の路面に設けられ、または前記走行路の近傍に配置された非接触給電のための給電ユニットと、前記走行路の外側に配置されるとともに、前記給電ユニットに電力を供給する外部電源装置と、前記給電位置において、前記走行路の路面または前記案内壁の内側面に配置されたマークと、を備えており、前記移動体の前記電源部が、充電池と、前記充電池に接続された、前記給電ユニットと対をなす受電ユニットと、からなり、前記移動体が前記マークを検出するマーク検出用センサをさらに有している。
【発明の効果】
【００１１】
本発明によれば、移動体に広告の表示ができるようにし、移動体を店内に設けた経路に沿って自律的に移動させ、移動体が進行方向前方に障害物または他の移動体を検知したときは、その進行方向を反転させるようにすることで、広告の位置（設置位置）を常時移動させ、広告を積極的に顧客の目に留まる位置まで動かす。
【００１２】
それによって、従来の定位置に広告表示を行う場合と比べて、店内のより広い範囲にわたってより多くの顧客に対して広告表示が行え、さらには、広告に動きをもたせることでより多くの顧客の関心を集めることができ、より効果的に顧客の購買意欲を喚起し、店内の雰囲気作りをすることができる。
【図面の簡単な説明】
【００１３】
【図１】本発明の１実施例による店内広告システムの全体を示す斜視図であり、（Ａ）はシステムをホームセンターに適用した場合の図であり、（Ｂ）はシステムをパチンコ店に適用した場合の図である。
【図２】図１の店内広告システムの要部を示す図であり、（Ａ）は斜視図であり、（Ｂ）は移動体の内部構造を示す斜視図である。
【図３】図１の店内広告システムの要部を示す図であり、（Ａ）は斜視図であり、（Ｂ）は、（Ａ）においてカバーの一部およびＰＯＰボードを取り外した状態の斜視図である。
【図４】本発明の別の実施例を示す図２に類似の図である。
【発明を実施するための形態】
【００１４】
以下、添付図面を参照しつつ、本発明の構成を好ましい実施例に基づいて説明する。
図１は、本発明の１実施例による店内広告システムの全体を示す斜視図であり、（Ａ）はシステムをホームセンターに適用した場合の図であり、（Ｂ）はシステムをパチンコ店に適用した場合の図である。
また、図２は、図１の店内広告システムの要部を示す図であり、（Ａ）は斜視図であり、（Ｂ）は移動体の内部構造を示す斜視図である。図３は、図１の店内広告システムの要部を示す図であり、（Ａ）は斜視図であり、（Ｂ）は、（Ａ）においてカバーの一部およびＰＯＰボードを取り外した状態の斜視図である。
【００１５】
図１〜図３を参照して、本発明によれば、店内に設けられた走行路１と、走行路１の両側に立設された案内壁２ａ、２ｂと、案内壁２に案内されて経路上を自律的に移動する１つまたは複数の移動体３が備えられる。
なお、図１（Ａ）では、走行路１は、両端が閉じられた直線状になっており、図１（Ｂ）では、走行路１はループ状になっている。
【００１６】
また、この実施例では、走行路１内への埃やゴミ等の侵入を防止し、またデザイン性を向上させるため、走行路１の上面開口を被覆するカバー４が設けられる。
この場合、カバー４は案内壁２ａ、２ｂのうちの一方（一側側の案内壁）２ｂと一体形成され、案内壁２ａ、２ｂの他方（他側側の案内壁）２ａの上端縁とカバー４の間には、走行路１の長さ方向にのびる間隙５が形成されている。
【００１７】
さらに、走行路１上に、走行路１の長さ方向に沿って一対の給電線６ａ、６ｂが配置され、走行路１の外側には、給電線６ａ、６ｂに電力を供給する外部電源装置７が設置されている。
なお、図２に示した外部電源装置７の配置は、図１（Ａ）の構成に対応するものであり、この場合、外部電源装置７は、走行路１の一端の外側に設置されている。
【００１８】
移動体３は、この実施例では、図２に示すように、走行路１上を走行するための車輪８と、モータ９と、モータ９および車輪８間に配置された動力伝達機構１０を有している。
移動体３は、また、給電線６ａ、６ｂから電気を取り込む集電ユニット１１を有し、集電ユニット１１からモータ９に対する給電が行われるようになっている。つまり、集電ユニット１１は、移動体３に備えられた電源部を構成している。
【００１９】
また、移動体３は、その前後部に配置された距離センサ１２、１３と、モータ９および動力伝達機構１０を制御する制御部１４を備えている。距離センサ１２、１３の検出信号は、制御部１４に送られる。
移動体３は、さらに、広告を表示する表示部１５を備えている。表示部１５は、この実施例では、ＰＯＰボードからなっている。ＰＯＰボード１５は、移動体３に設けられた取付部１６を介して移動体３に固定されている。
【００２０】
取付部１６は、図３に示すように、移動体３の一側に突設され、間隙５から案内壁１ａを越えて外向きにのびる水平な支持ロッド１６ａと、支持ロッド１６ａの先端に固定された取付板１６ｂとからなっている。
なお、ＰＯＰボード１５の代わりに液晶ディスプレイ等のディスプレイ装置を取り付けることもできる。
【００２１】
さらに、この実施例では、移動体３の前後面に水平なローラ支持板１７が突設され、移動体３の幅方向にのびている。そして、ローラ支持板の両側部に、ガイドローラ１８が、垂直軸のまわりに回転可能に取り付けられている。ガイドローラ１８は、関係する案内壁２ａ、２ｂの内面に接触し得る。
【００２２】
そして、制御部１４に予め組み込まれたプログラムに基づき、移動体３は、予め決定された一定速度で、あるいは周期的に変化する速度で走行路１上を走行する。複数の移動体３が備えられる場合には、全ての移動体３が同一の一定速度で走行してもよいし、移動体３毎に異なる一定速度で走行してもよい。
移動体３は、走行中、距離センサ１２、１３によって、進行方向前方の障害物または他の移動体３に所定の距離まで近づいたことを検知したとき、進行方向を反転させる。
【００２３】
こうして、ＰＯＰボード１５を備えた移動体３を、店内に設けた走行路１に沿って自律的に走行させるとともに、進行方向前方に障害物または他の移動体を検知したときは、進行方向を反転させることによって、ＰＯＰ広告の位置（設置位置）を常時移動させ、ＰＯＰ広告を積極的に顧客の目に留まる位置まで動かすことで、店内のより広い範囲にわたって、より多くの顧客に対して広告が行える。さらには、ＰＯＰ広告に動きをもたせることで、顧客の関心をより多く集めることができる。
それによって、効果的に、顧客の購買意欲を喚起し、店内の雰囲気作りを行うことができる。
【００２４】
図４は、本発明の別の実施例を示す図２に類似の図である。
なお、図４に示した実施例は、図２の実施例と、移動体の電源部および外部電源の構成が異なるだけである。よって、以下では、図２に示したものと同一の構成要素には同一番号を付して、それらの詳細な説明を省略する。
【００２５】
図４を参照して、この実施例では、走行路１上の予め定められた少なくとも１つの給電位置Ｐに、非接触給電のための給電ユニット１９が備えられる。給電ユニット１９は、図４に示すように走行路１の近傍に配置することもできるし、あるいは、案内壁２ａ、２ｂまたは走行路１の路面に設けることもできる。
また、走行路１の外側に、給電ユニット１９に電力を供給する外部電源装置２０が設置される。
さらに図示はしないが、給電位置Ｐには、走行路１の路面または案内壁２ａ、２ｂの内側面に、給電位置を示すマークが備えられる。
【００２６】
移動体３’は、充電池２１と、充電池２１に接続された、給電ユニット１９と対をなす受電ユニット２２を備えている。この実施例では、移動体３’の電源部は、充電池２１と受電ユニット２２から構成されている。
さらに、移動体３’は、マークを検出するマーク検出用センサ（図示はしない）を備えている。
【００２７】
図４の実施例によれば、移動体３’の制御部１４によって、充電池１９の充電状態が常時監視されており、移動体３’は、充電池２１の電位が一定程度まで低下したとき、マーク検出用センサからの検出信号に基づき、最寄の給電位置Ｐを検出し、当該給電位置Ｐで停止する。この停止の間に、外部電源装置２０から給電ユニット１９および受電ユニット２２を介して充電池２１が充電される。そして、充電池２１が満充電されると、移動体３’は再び走行を開始する。
この実施例においても、図１〜図３に示した実施例と同様の効果が得られることは言うまでもない。
【００２８】
以上、本発明の構成を好ましい実施例に基づいて説明したが、本発明の構成は上記実施例に限定されず、本願の特許請求の範囲に記載した構成の範囲内で種々の変形例を案出できる。
例えば、上記実施例では、経路が走行路であり、ガイドが走行路の両側に設けられた案内壁であり、移動体が走行路上を走行するようにしたが、経路およびガイドを一体化してスライドガイドとして形成し、移動体がスライドガイドに沿って自律的にスライド運動するような構成とすることもできるし、あるいは、経路およびガイドを一体化して矩形断面または円形断面の透明チューブとして形成し、移動体がチューブ内において自律的に運動するような構成とすることもできる。
【符号の説明】
【００２９】
１  走行路
２ａ、２ｂ  案内壁
３、３’  移動体
４  カバー
５  間隙
６ａ、６ｂ  給電線
７  外部電源装置
８  車輪
９  モータ
１０  動力伝達機構
１１  集電ユニット
１２、１３  距離センサ
１４  制御部
１５  ＰＯＰボード
１６  取付部
１６ａ  支持ロッド
１６ｂ  取付板
１７  ローラ支持板
１８  ガイドローラ
１９  給電ユニット
２０  外部電源装置
２１  充電池
２２  受電ユニット
Ｐ  給電位置
【図１】
2017151386.tif 000003
【図２】
2017151386.tif 000004
【図３】
2017151386.tif 000005
【図４】
2017151386.tif 000006